(57)【特許請求の範囲】
【請求項１】
器具本体の一面側が載置される底板部と；
この底板部の両端部に一体に連続し、器具本体の端部に対向する一対の端板部と；
これら端板部の端部に一体に連続し、器具本体の他面側に対向する一対の上板部と；
底板部の両側にそれぞれ一体に連続して設けられ、器具本体側に折り返され、器具本体の周囲に沿って設けられた縁部に係止される底側板部と；
上板部の両側にそれぞれ一体に連続して設けられ、器具本体の側部に沿って折り返され、器具本体の縁部と底側板部との間に係止される上側板部と；
を具備したことを特徴とする包装装置。
【請求項２】
器具本体を備えた照明器具と；
照明器具を包装する請求項１記載の包装装置と；
を具備することを特徴とする照明装置。
【発明の詳細な説明】
【０００１】
【発明の属する技術分野】
本発明は、照明器具の器具本体を包装する包装装置及び照明装置に関する。
【０００２】
【従来の技術】
従来、段ボールなどの包装材を用いて照明器具を包装する包装装置が用いられている。そして、例えば、Ｕ字状の蛍光ランプを複数装着する薄形の器具本体を備えた照明器具を包装する場合、上面を開口した箱状の箱本体と、下面を開口した箱状の蓋体と、適宜の緩衝体とを備えたいわゆるＣ式の包装装置が用いられている。そして、この包装装置では、箱本体の内側に照明器具の器具本体を挿入し、箱本体内での器具本体の前後左右の揺れを抑制する緩衝部材を配置したうえ、箱本体の開口部を覆って蓋体を被せるとの包装作業を行っている。
【０００３】
【発明が解決しようとする課題】
しかしながら、上記従来の構成では、四方の側面で、箱本体の包装材と蓋体の包装材が重なる状態になるため、段ボールなどの包装材が有効に利用されず、コストも上昇する。また、包装装置を構成する部品点数が多く、緩衝部材などの包装資材も多く使用するため、包装装置の製造から運搬、梱包、廃棄物処理に至るまでの工程において、環境やコストの面での負荷の軽減が容易でない問題を有している。
【０００４】
本発明は、このような点に鑑みなされたもので、環境に対する負荷を容易に低減できるとともにコストも抑制できる包装装置及び照明装置を提供することを目的とする。
【０００５】
【課題を解決するための手段】
請求項１記載の包装装置は、器具本体の一面側が載置される底板部と；この底板部の両端部に一体に連続し、器具本体の端部に対向する一対の端板部と；これら端板部の端部に一体に連続し、器具本体の他面側に対向する一対の上板部と；底板部の両側にそれぞれ一体に連続して設けられ、器具本体側に折り返され、器具本体の周囲に沿って設けられた縁部に係止される底側板部と；上板部の両側にそれぞれ一体に連続して設けられ、器具本体の側部に沿って折り返され、器具本体の縁部と底側板部との間に係止される上側板部と；を具備したものである。
【０００６】
なお、器具本体は、例えば、天井に埋め込み設置される薄形の照明器具で、複数の蛍光ランプが装着され、天井面に当接する縁部を備えたものである。また、器具本体は、両側方向の寸法と両端方向の寸法が互いに等しい場合もあり、また、いずれかが他方に対して寸法が大きい場合もある。
【０００７】
そして、この構成では、それぞれ底板部及び上板部に一体に設けた底側板部及び上側板部を器具本体の縁部に当接して、器具本体が安定して支持される。そして、器具本体を囲む部分及び器具本体に当接して支持する部分を一枚の板状の包装材で構成可能になり、包装材の使用量及び包装装置の部品点数が削減され、製造コストが低減されるとともに、環境に対する負荷の軽減が容易になる。さらに、包装作業が容易になり、作業コストが低減される。また、折り返された底側板部及び上側板部は緩衝効果を有する。さらに、底側板部と上側板部との間の部分は把手として利用することも可能となる。
【０００８】
請求項２記載の照明装置は、器具本体を備えた照明器具と；照明器具を包装する請求項１記載の包装装置と；を具備するものである。
【０００９】
そして、この構成では、照明器具の器具本体を請求項１記載の包装装置で包装したので、保管や搬送が容易になり、包装を含む全体としてのコストの削減や環境に対する負荷の軽減が容易になる。
【００１０】
【発明の実施の形態】
以下、本発明の包装装置及び照明装置の一実施の形態を図面を参照して説明する。
【００１１】
図１は本発明の包装装置の前提となる第１の実施の形態を示す包装作業の説明図である。図２は同上包装装置の展開図である。図３は同上包装装置の図１の一部を拡大した説明図である。図４は同上包装装置の包装状態を示す説明図である。図５は同上包装装置の包装作業の説明図である。図６は本発明の包装装置の前提となる第２の実施の形態を示す展開図である。図７は同上包装装置の包装状態を示す説明図である。図８は本発明の包装装置の実施の形態を示す包装状態の一部を切り欠いた説明図である。図９は同上包装装置の展開図である。図１０は同上包装装置を示す包装作業の説明図である。図１１は同上包装装置の包装状態を示す説明図である。図１２は同上包装装置の包装作業の説明図である。
【００１２】
図において、１は被包装物としての照明器具で、この照明器具１は、例えば店舗照明などに用いられるいわゆる施設照明で、器具本体２と、この器具本体２に取り付けられたランプソケット３、ランプホルダ４、及び図示しない点灯装置と、器具本体２に着脱可能に取り付けられる制光体７となどを備えている。
【００１３】
そして、器具本体２は、吊りボルトなどを用いて、天井面に設けられた正方形状など長方形状の取付孔に埋め込み設置される埋込形照明器具で、他面としての下面のほぼ全面に照射開口11が形成されている。なお、各図においては、設置状態とは上下を逆転した梱包状態すなわち包装状態が示されている。そして、器具本体２は、一面としての基板部12と、この基板部12の両端部にそれぞれ垂直に設けられた端部14と、基板部12の両側部にそれぞれ垂直に設けられた側部15とを備えている。さらに、これら端部14及び側部15の下端部(図における上端部)からは、照射開口11の周囲に沿って、外周側に向かい断面略Ｌ字状に屈曲され、縁部16が突設されている。また、この器具本体２は、略Ｕ字状をなす発光管を備えた蛍光ランプを４本用いるもので、器具本体２の内側には、一方の側部15に沿って、４個のランプソケット３が配置されているとともに、他方の側部15の近傍には、各ランプソケット３に対応して、ランプホルダ４が配置されている。さらに、この器具本体２の内側には、反射板部18が設けられている。
【００１４】
一方、制光体７は、バッフル組立(ＢＦ組立)とも呼ばれるもので、蛍光ランプの長手方向に沿って配置される断面略Ｖ字状の反射板(Ｖカバー)21と、この反射板21の下側部に直交して取り付けられた複数枚の板状のバッフル22とを備えている。
【００１５】
また、図において、31は包装装置で、この包装装置31は、１枚の段ボール材で形成された包装材32と、この包装材32に接着される位置固定手段としての接続手段である粘着テープ33と、必要に応じて用いられるシート34とを備えている。
【００１６】
そして、包装材32は、一枚のほぼ長方形状の段ボール材、すなわち波状に屈曲された紙を平面状の紙で挟んで形成された材料で形成され、厚さ寸法は８mm以下に形成されているとともに、包装材32の長手方向は、波状に屈曲されたいわゆるフルート35の長手方向に沿って配置されている。そして、この包装材32は、中央部分に、略長方形状、本実施の形態では正方形状の底板部36が形成されている。そして、この底板部36の寸法は、縁部16を含む器具本体２の平面形状にほぼ沿って形成されている。さらに、この底板部36の両端部には、折り線37を介して、長方形状の端板部38が形成され、さらに、この端板部38の両端部には、折り線39を介して長方形状の上板部40が形成されている。また、各端板部38は、器具本体２の高さ寸法とほぼ等しく形成され、各上板部40は、器具本体２の平面形状を２分したものより若干大きく形成されている。
【００１７】
さらに、この包装材32の長手方向に沿った両側部には、それぞれ側板部43が形成されている。そして、各側板部43は、折り線44を介して底板部36に連続する底側板部45と、折り線47を介して上板部40に連続する上側板部48と、折り線51を介して端板部38に連続する受部52とを備えている。また、この受部52は、側端部から切り欠かれた切欠部54と、折り線39と折り線51との交点から互いに接近する方向に傾斜して形成された半カットによる区画線55により、それぞれ側端側の幅寸法が小さい略台形状に形成されている。なお、ここで、半カットとは、段ボール材を切断しない状態で厚さ方向に形成された切り込みのことである。また、底板部36の両側部には、包装材32の長手方向に対する底板部36の中央部分に折り線56を介して連続し、両側を切込線57とした取手部となる片部58が切り起こし可能に形成されている。また、これら両側の折り線56同士の間の寸法は、器具本体２の基板部12の幅寸法とほぼ等しく形成されている。
【００１８】
また、底板部36の内面の四隅の近傍には、器具本体定置位置を示すものとして、十字を四角で囲む形状で半カットした目印部61が形成されている。
【００１９】
さらに、包装材32の長手方向の一方の端部には、幅方向及び長手方向に複数の半カットの線63を形成した重ね部65が形成されている。また、包装材32の長手方向の他方の端部については、上側板部48に連続して上板部40が傾斜して切り欠かれた切欠部67が形成されている。
【００２０】
また、シート34は、保護材であり、ポリシートとも呼ばれるもので、ポリエチレン材(ＰＥ)製の透明で柔軟な長方形状のシートである。
【００２１】
なお、図１に示す69及び図４に示す70は、取扱説明書や注意事項を示すシートなどである。
【００２２】
次に、包装作業の工程を説明する。
【００２３】
まず、図５に示すように、シート34により照明器具１全体を覆う。この工程は、まず、平面上に広げたシート34の上に、制光体７を外した器具本体２を載置する。次いで、両側の側部15側から、器具本体２上にシート34を折り重ねる。次いで、図５(a)及び(b)に示すように、一方の端部14側から器具本体２上にシート34を折り重ねる。次いで、図５(b)及び(c)に示すように、折り重ねたシート34を介して、器具本体２に制光体７を嵌め込む。この状態で、制光体７の断面略Ｖ字状の反射板21の端部21aの部分は、シート34を３枚挟んで器具本体２に対向し、器具本体２及び制光体７が保護されている。次いで、この制光体７を覆うようにして、器具本体２上にシート34を折り重ねることにより、シート34で照明器具１を覆う作業が完了する。
【００２４】
次いで、シート34に覆われた照明器具１を包装する。この作業は、まず、平面上に広げた包装材32上の所定の位置に、照明器具１を載置する。この際、包装材32の底板部36に設けた目印部61に器具本体２の基板部12の角部を合わせることにより、照明器具１を容易に正確に位置合わせできる。さらに、包装材32の底板部36の両側の折り線56から片部58を折っておくことにより、この片部58及び折り線56が照明器具１の位置合わせのガイドとなる。
【００２５】
また、この照明器具１を包装材32上に載置する作業の前後いずれかに、折り線44，47，51を折り側板部43を立ち上げておく。次いで、図１及び図３に示すように、折り線37，39を折り、各端板部38を器具本体２の端部14に沿わせるとともに、各上板部40を器具本体２の上側に重ねる。この際、同時に、４カ所の受部52を底側板部45及び上側板部48の内側すなわち器具本体２側に折り込んでいく。なお、この受部52の折り込みは、切欠部54及び半カットによる区画線55により容易に行われる。そして、一対の上板部40は、半カットの線63による重ね部65を設けた一方の上板部40を上にして、すなわち、切欠部67を設けた他方の上板部40を下にして、先端部同士を重ね合わせて、上板部40で照射開口11を覆い、図４に示すように、粘着テープ33で固定する。さらに、この際、粘着テープ33の両端部で、上側板部48の外側に沿わせた片部58を固定することにより、包装作業が終了する。
【００２６】
そして、この状態で、４カ所の受部52が、絞られるようにして器具本体２の角部の近傍の側部15の外側面及び縁部16の下面に圧接され、器具本体２すなわち照明器具１を動かないように安定して支持できる。すなわち、受部52については、底板部36に連続する底側板部45、上板部40に連続する上側板部48、及び端板部38に連続する受部52が形成され、さらに、受部52は、底側板部45及び上側板部48に連続して形成され、さらに、いわば山形状の裾から連続して折り込み方向を規定する罫線が設けられているため、受部52を容易に所定の位置に配置できる。
【００２７】
このように、本実施の形態によれば、薄形照明器具の包装に関し、いわゆる簡易包装形式とし、簡略な構成で、環境に対する負荷を軽減しつつ、コストを低減できるとともに、照明器具１を安定して支持でき、持ち運びや移動も容易にできる。
【００２８】
すなわち、包装した状態では、上下の面及び端面は、粘着テープ33で連結され筒状とされた部分である上板部40、底板部36、及び端板部38で保持されるとともに、両側方向は、受部52が側部15に当接し弾性的に挟持するようにして保持されるとともに、粘着テープ33で上板部40に止められた片部58が当接し、照明器具１の横揺れを防止して、照明器具１を安定して支持できる。
【００２９】
そして、包装材32は、底板部36から端板部38、上板部40、底側板部45及び上側板部48が連続した１枚のほぼ長方形状の段ボール材の簡略な構造からなり、無駄に破棄される部分も少なく、段ボール材の使用量を削減でき、環境配慮が可能すなわち環境に対する負荷を軽減でき、包装材32の廃棄などの処理も容易にできる。
【００３０】
また、底板部36から切り起こした片部58は、照明器具１を移動しないように支持する機能を有するとともに、他の部分より比較的持ちやすい取っ手(把手)として機能させることができ、持ち運びや移動の際の操作性を向上できる。
【００３１】
さらに、底板部36に設けた目印部61により、包装材32に対して容易に正確に位置合わせできる。
【００３２】
また、上板部40が互いに重ね合わされる部分は、一方の先端部は、下面に半カットの線63による重ね部65を設けたため、他方の先端部の上側に重ねた際に密着させやすいとともに、他方の先端部は、幅方向の両端部に切欠部67を設けたため、一方の先端部の下側に入れやすくできる。
【００３３】
また、包装した状態で、底側板部45と上側板部48との間に若干の隙間を設けることにより、この隙間を介して包装された照明器具１の一部が目視可能になる。そして、このように照明器具１を目視できる状態とすると、運搬などを行う作業者が丁寧に扱う効果を期待できる。
【００３４】
なお、上記の本発明の前提となる第１の実施の形態では、粘着テープ33を用いて上板部40同士を連結したが、連結手段は粘着テープ33に限られず、例えば、包装材32に一体に形成し、部品点数を削減などすることもできる。
【００３５】
例えば、図６及び図７に示す本発明の前提となる第２の実施の形態のように、粘着テープ33に代えて、一方の上板部40の先端部に一体に連続して係合部72を形成するとともに、他方の上板部40の先端部の近傍に一体に、係合部72が係合する係合受部74を形成することもできる。そして、係合部72は、一方の上板部40の先端部から延設された基部72aと、この基部72aの先端側に基部72aよりも幅寸法が大きく形成された係止部72bとを備えている。また、係合受部74は、他方の上板部40の縁部と略平行なスリット部74aと、このスリット部74aの両端部が垂直に切り込まれた切込部74bとを有している。また、係合部72の基部72aの幅寸法をＬ1、係止部72bの幅寸法をＬ2、係合受部74のスリット部74aの幅寸法をＬ3とすると、Ｌ3＜Ｌ1＜Ｌ2、との関係になっている。そこで、この実施の形態では、粘着テープ33を貼着する作業に代えて、係合部72を係合受部74に圧入することにより、包装装置31を容易に組立できる。
【００３６】
この他、この第２の実施の形態では、第１の実施の形態の構成に対し、一方の上板部40の先端部に半カットの線63による重ね部65は形成されず、また、包装した状態で、両側の片部58が上板部40の内側すなわち上板部40と器具本体２との間に配置される点が異なっている。
【００３７】
また、この第２の実施の形態において、さらに粘着テープ33を貼着することもできる。
【００３８】
次に、本発明の実施の形態を説明する。
【００３９】
この実施の形態では、照明器具１は、第１の実施の形態とほぼ同様の埋込形照明器具で、器具本体２は、吊りボルトなどを用いて、天井面に設けられた正方形状など長方形状の取付孔に埋め込み設置され、他面としての下面のほぼ全面に照射開口11が形成されている。また、この照明器具１は、３個の蛍光ランプＬを装着するもので、器具本体２の内側の反射板部18は、外周側に向かいかつ天井面に向かって延設され、傾斜した枠状の枠部18aと、この枠部18aの内周側に連続する水平な水平枠部18bと、枠部18aの外周側に連続する垂直な垂直枠部18cとを備え、器具本体２の天井取付用縁辺まである縁部16を覆うように形成されている。また、制光体７は、バッフルは備えず、各蛍光ランプ同士の間に蛍光ランプの長手方向に沿って配置される断面略Ｖ字状の反射板(Ｖカバー)21を２個備えている。
【００４０】
そして、包装装置101は、１枚の段ボール材で形成された包装材102と、この包装材102に接着される位置固定手段としての粘着テープ103と、必要に応じて用いられるシート104とを備えている。
【００４１】
そして、包装材102は、一枚のほぼ長方形状の段ボール材、すなわち波状に屈曲された紙を平面状の紙で挟んで形成された材料で形成され、厚さ寸法は８mm以下に形成されているとともに、包装材102の長手方向は、波状に屈曲されたいわゆるフルート105の長手方向に沿って配置されている。そして、この包装材102は、中央部分に、略長方形状、本実施の形態では正方形状の底板部106が形成されている。そして、この底板部106の寸法は、縁部16を含む器具本体２の平面形状にほぼ沿って形成されている。さらに、この底板部106の両端部には、折り線107を介して、端板部108が形成され、さらに、この端板部108の両端部には、折り線109を介して長方形状の上板部110が形成されている。また、各端板部108は、高さ寸法は、器具本体２の高さ寸法とほぼ等しく形成され、幅寸法は底板部106側よりも上板部110側が小さく形成されている。さらに、各上板部110は、器具本体２の照射開口11を覆う平面形状を２分したものより若干大きく形成されている。
【００４２】
さらに、この包装材102の長手方向に沿った両側部には、それぞれ側板部113が形成されている。そして、各側板部113は、折り線114を介して底板部106に連続する長方形状の底側板部115と、折り線117を介して上板部110に連続する上側板部118とを備えている。また、各上側板部118には、複数、本実施の形態では２本の折り線121，122が形成され、反射板部18など器具本体２に沿って折り曲げ可能になっている。
【００４３】
さらに、包装材102の長手方向の一方の端部には、幅方向及び長手方向に複数の半カットの線133を形成した重ね部135が形成されている。また、包装材102の長手方向の他方の端部については、上側板部118が長方形状に切り欠かれた切欠部137が形成されている。
【００４４】
また、第１の実施の形態と同様に、シート34は、保護材であり、ポリシートとも呼ばれるもので、ポリエチレン材(ＰＥ)製の透明で柔軟な長方形状のシートである。また、取扱説明書や注意事項を示すシート69，70が添付あるいは貼着などされている。
【００４５】
次に、包装作業の工程を説明する。
【００４６】
まず、図１２に示すように、シート34により照明器具１全体を覆う。この工程は、まず、平面上に広げたシート34の上に、制光体７を外した器具本体２を載置する。次いで、両側の側部15側から、器具本体２上にシート34を折り重ねる。次いで、図１２(a)及び(b)に示すように、一方の端部14側から器具本体２上にシート34を折り重ねる。次いで、図１２(b)及び(c)に示すように、折り重ねたシート34を介して、器具本体２に制光体７すなわち２個の反射板21を嵌め込む。この状態で、各反射板21の端部21aの部分は、シート34を３枚挟んで器具本体２に対向し、器具本体２及び制光体７が保護されている。次いで、この制光体７を覆うようにして、器具本体２上にシート34を折り重ねることにより、シート34で照明器具１を覆う作業が完了する。
【００４７】
次いで、シート34に覆われた照明器具１を包装する。
【００４８】
この作業は、まず、平面上に広げた状態から底側板部115を内側すなわち底板部106の上に折り返した包装材102の底板部106上に、照明器具１を載置し、底側板部115に縁部16にあてがう。
【００４９】
次いで、図１０に示すように、折り線107，109を折り、各端板部108を器具本体２の端部14に沿わせるとともに、各上板部110を器具本体２の上側に重ねる。さらに、各上板部110を器具本体２の上側に重ねると同時に、あるいは、重ねた後に、折り線121，122を折り、上側板部118を器具本体２を構成する反射板部18に沿わせ、さらに、この上側板部118の先端部を、器具本体２の縁部16と底側板部115との間に差し込む。そして、一対の上板部110は、半カットの線133による重ね部135を設けた一方の上板部110を上にして、すなわち、切欠部137を設けた他方の上板部110を下にして、先端部同士を重ね合わせて、上板部110で照射開口11を覆い、図１１に示すように、粘着テープ103で固定する。さらに、この際、粘着テープ103の両端部103aは、底板部106の底面側に回り込むように貼り付けることにより、包装作業が終了する。
【００５０】
このように、本実施の形態によれば、薄形照明器具の包装に関し、いわゆる簡易包装形式とし、簡略な構成で、環境に対する負荷を軽減しつつ、コストを低減できるとともに、緩衝作用を有しつつ照明器具１を安定して支持でき、持ち運びや移動も容易にできる。
【００５１】
すなわち、１枚の板状の包装材102から、包装材102の４辺の対向する２辺の底板部106を折り返し、器具本体２の天井取付用縁辺である縁部16にあてがい、別の２辺から延長される２面の端板部108を有し、２面の端板部108からそれぞれ延長される２面の上板部(天面)110を有し、この上板部110は器具本体２の外形の傾斜に沿い、器具本体２の端部で縁部を折り返し、器具本体２の背面側の天井取付用縁辺である縁部16にあてがうものである。
【００５２】
すなわち、包装した状態では、上下の面及び端面は、粘着テープ103で連結され筒状とされた部分である上板部110、底板部106、及び端板部108で保持されるとともに、両側方向は、上側板部118及び底側板部115の先端部が当接し、照明器具１を安定して支持できる。
【００５３】
さらに、この状態で、底側板部115は、鋭角状に折り返された部分が復帰しようとする付勢力により、器具本体２の縁部16に直接あるいは上側板部118を介して当接し、緩衝効果を奏し、照明器具１を衝撃から保護できる。
【００５４】
また、底側板部115と上側板部118とは互いに当接し、外側へのめくれが防止されている。
【００５５】
そして、包装材102は、底板部106から端板部108、上板部110、底側板部115及び上側板部118が連続した１枚のほぼ長方形板状の段ボール材の簡略な構造からなり、さらに、緩衝作用を有する底側板部115及び上側板部118で側板部113を構成し、上側板部118は、器具本体２の形状すなわち傾斜に沿って折曲しているため、緩衝作用を実現しつつ、無駄に破棄される部分も少なく、包装資材である段ボール材の使用量を削減すなわち資材削減でき、環境配慮が可能すなわち環境に対する負荷を軽減でき、包装材102の廃棄などの処理も容易にできる。
【００５６】
また、側板部113を構成する底側板部115と上側板部118との間の部分は、他の部分より比較的持ちやすい取っ手(把手)として機能させることができ、持ち運びや移動の際の操作性を向上できる。
【００５７】
さらに、上板部110が互いに重ね合わされる部分は、一方の先端部は、下面に半カットの線133による重ね部135を設けたため、他方の先端部の上側に重ねた際に密着させやすいとともに、他方の先端部は、幅方向の両端部に切欠部137を設けたため、一方の先端部の下側に入れやすくできる。
【００５８】
なお、この実施の形態においても、第２の実施の形態と同様に、粘着テープに代えて、位置固定手段は、上板部110に一体に形成した係合部及び係合受部を備えた構成とすることもできる。
【００５９】
また、第１の実施の形態と同様に、底板部106に目印部を設け、照明器具１を包装材102に対して容易に正確に位置合わせできる。
【００６０】
また、各実施の形態において、包装装置を構成する包装材は、段ボール材に代えて、プラスチック製の部材を用いることもできる。
【００６１】
また、各実施の形態において、位置固定手段は、包装材を縛る紐などを用いることもできる。
【００６２】
【発明の効果】
請求項１記載の包装装置によれば、それぞれ底板部及び上板部に一体に設けた底側板部及び上側板部を器具本体の縁部に当接して、器具本体を安定して支持できる。そして、器具本体を囲む部分及び器具本体に当接して支持する部分を一枚の板状の包装材で構成でき、包装材の使用量及び包装装置の部品点数を削減し、製造コストを低減できるとともに、環境に対する負荷を容易に軽減できる。さらに、包装作業を容易にでき、作業コストを低減できる。また、折り返された底側板部及び上側板部は緩衝効果を有する。さらに、底側板部と上側板部との間の部分を把手として利用することもできる。
【００６３】
請求項２記載の照明装置によれば、照明器具の器具本体を請求項１記載の包装装置で包装したため、保管や搬送を容易にでき、包装を含む全体としてのコストの削減や環境に対する負荷を容易に軽減できる。
【図面の簡単な説明】
【図１】  本発明の包装装置の前提となる第１の実施の形態を示す包装作業の説明図である。
【図２】  同上包装装置の展開図である。
【図３】  同上包装装置の図１の一部を拡大した説明図である。
【図４】  同上包装装置の包装状態を示す説明図である。
【図５】  同上包装装置の包装作業の説明図である。
【図６】  本発明の包装装置の前提となる第２の実施の形態を示す展開図である。
【図７】  同上包装装置の包装状態を示す説明図である。
【図８】  本発明の包装装置の実施の形態を示す包装状態の一部を切り欠いた説明図である。
【図９】  同上包装装置の展開図である。
【図１０】  同上包装装置を示す包装作業の説明図である。
【図１１】  同上包装装置の包装状態を示す説明図である。
【図１２】  同上包装装置の包装作業の説明図である。
【符号の説明】
１    照明器具
２    器具本体
12    一面としての基板部
14    端部
15    側部
16    縁部
101   包装装置
106   底板部
108   端板部
110   上板部
115   底側板部
118   上側板部
【図１】
0004045402.tif 000002
【図２】
0004045402.tif 000003
【図３】
0004045402.tif 000004
【図４】
0004045402.tif 000005
【図５】
0004045402.tif 000006
【図６】
0004045402.tif 000007
【図７】
0004045402.tif 000008
【図８】
0004045402.tif 000009
【図９】
0004045402.tif 000010
【図１０】
0004045402.tif 000011
【図１１】
0004045402.tif 000012
【図１２】
0004045402.tif 000013